(57)【要約】【課題】厚さを減少させた温水式の床暖房用断熱パネルをコストを抑えて提供する。【解決手段】断熱基板２の上面に配管溝１０（１０ａ，１０ｂ，１０ｃ）が形成された床暖房用断熱パネル１において、配管溝１０に温水配管３（３ａ，３ｂ，３ｃ）が配設されたときに温水配管３の下方の温水配管３と対向する断熱基板２の部分のみに、断熱基板２よりも断熱効果が高い真空断熱部材１２（１２ａ，１２ｂ，１２ｃ）を埋設する。【選択図】　図１
2004144340.tif 000002
【特許請求の範囲】
【請求項１】
断熱基板の上面に温水配管の配管溝が形成された床暖房用断熱パネルにおいて、
前記配管溝に温水配管が配設されたときに該温水配管の下方で該温水配管と対向する前記断熱基板の部分のみに、前記断熱基板よりも断熱効果が高い断熱部材を埋設したことを特徴とする床暖房用断熱パネル。
【請求項２】
前記断熱部材を、前記配管溝に温水配管が配設されたときに該温水配管の外面と当接する部分に埋設したことを特徴とする請求項１記載の床暖房用断熱パネル。
【請求項３】
断熱基板の上面に温水配管の配管溝が形成された床暖房用断熱パネルにおいて、
前記配管溝に温水配管が配設されたときに該温水配管の外面と当接する箇所から前記断熱基板の上表面に至るまでの前記断熱基板の部分のみに、前記断熱基板よりも断熱効果が高い断熱部材を埋設し、該断熱部材よりも熱伝導率が高い熱伝導シートを該断熱部材の上面に設けたことを特徴とする床暖房用断熱パネル。
【請求項４】
前記断熱部材は、微細多孔体を真空密封した真空部材であることを特徴とする請求項１から請求項３のうちいずれか１項記載の床暖房用断熱パネル。
【請求項５】
前記断熱部材の間の前記断熱基板の部分に、前記断熱基板を折り曲げ可能とするスリットを設けたことを特徴とする請求項１から請求項４のうちいずれか１項記載の床暖房用断熱パネル。
【請求項６】
前記温水配管は平行して配設された複数の配管部分を有し、該配管部分の下方の該配管部分と対向する部分に設けられた前記断熱部材の幅を、該配管部分の内径以上であって、且つ隣り合った該配管部分の中心間の距離の１／２以下の範囲内としたことを特徴とする請求項１から請求項５のうちいずれか１項記載の床暖房用断熱パネル。
【発明の詳細な説明】
【０００１】
【発明の属する技術分野】
本発明は、温水式の床暖房装置に使用される床暖房用断熱パネルに関する。
【０００２】
【従来の技術】
温水式の床暖房装置に使用される床暖房用断熱パネルにおいては、床下側への放熱損失を防止すると共に、床面の熱膨張による軋み音の発生を防止するため、温水配管は断熱基板の上面に形成された配管溝に配設される（特許文献１）。
【０００３】
そして、断熱基板による断熱効果を十分に確保するためには、断熱基板を厚くすることが有効であるが、断熱基板を厚くすると床暖房用断熱パネルが厚くなって床面が高くなり、ドアの開閉が困難になる等の不都合が生じる。
【０００４】
そこで、断熱基板よりも熱伝導率が低く、断熱効果の高い断熱材（例えば、真空断熱材）を断熱基板と床面の間に設けることにより、断熱基板の厚みを減少させて床暖房用断熱パネルの厚さを薄くすることができる。しかし、この場合には、高価な断熱材を使用することにより、床暖房用断熱パネルのコストが高くなってしまうという不都合がある。
【０００５】
【特許文献１】
特開平７−１９８１５３号公報
【０００６】
【発明が解決しようとする課題】
本発明は上記不都合を解消し、厚みを減少させた床暖房用断熱パネルをコストを抑えて提供することを目的とする。
【０００７】
【課題を解決するための手段】
上記目的を達成するため、本発明の第１の態様は、断熱基板の上面に温水配管の配管溝が形成された床暖房用断熱パネルにおいて、前記配管溝に温水配管が配設されたときに該温水配管の下方で該温水配管と対向する前記断熱基板の部分のみに、前記断熱基板よりも断熱効果が高い断熱部材を埋設したことを特徴とする。
【０００８】
かかる本発明において、前記断熱基板の前記配管溝が形成された部分は他の部分に比べて厚さが薄くなって床下側への断熱効果が低下する。そこで、本発明では、前記配管溝に配設された温水配管の下方の該温水配管と対向する部分にのみ前記断熱基板よりも断熱効果が高い前記断熱部材を設けて、床下側への断熱効果の低下を抑制している。そして、これにより前記断熱基板を厚くすることなく温水配管の下方の断熱効果を維持している。
【０００９】
また、前記断熱基板よりも断熱効果が高い前記断熱部材のコストは一般に前記断熱基板よりも高くなるが、本発明では、温水配管からの放熱量が多い前記温水配管の下方部分のみに限定して前記断熱部材を設けている。そのため、前記断熱部材を前記断熱基板の下面全体に亘って設ける場合に比べて、床暖房用断熱パネルのコストを下げることができる。
【００１０】
また、前記断熱部材を、前記配管溝に温水配管が配設されたときに該温水配管の外面と当接する部分に埋設することによって、該温水配管の下方への放熱を断熱する効果を高めることができる。
【００１１】
また、本発明の第２の態様は、断熱基板の上面に温水配管の配管溝が形成された床暖房用断熱パネルにおいて、前記配管溝に温水配管が配設されたときに該温水配管の外面と当接する箇所から前記断熱基板の上表面に至るまでの部分のみに、前記断熱基板よりも断熱効果が高い断熱部材を埋設し、該断熱部材よりも熱伝導率が高い熱伝導シートを該断熱部材の上面に設けたことを特徴とする。
【００１２】
かかる本発明によれば、温水配管の下方への放熱が該温水配管の外面に当接した前記断熱部材によって抑制されるため、前記第１の態様と同様に、前記断熱基板を厚くすることなく温水配管の下方への断熱効果を維持することができる。そして、下方への伝播が抑制された温水配管からの放熱を前記熱伝導シートを介して前記断熱基板の上面に効率良く伝播させることができる。また、前記断熱部材は、前記配管溝に温水配管が配設されたときに該温水配管の外面と当接する箇所から前記断熱基板の上表面に至るまでの部分に限定して埋設されるため、前記断熱部材を前記断熱基板の上面の全面に設ける場合に比べて床暖房用断熱パネルのコストを下げることができる。
【００１３】
また、前記第１の態様及び前記第２の態様において、前記断熱部材が微細多孔体を真空密封した真空部材である場合は、該真空部材は前記温水配管の下方の前記温水配管と対向する部分のみに設けられるため、前記断熱基板の該真空部材が設けられていない部分にビス止め等を行うことにより、該真空部材を傷つけることなく床暖房用断熱パネルを固定することができる。
【００１４】
また、前記第１の態様及び前記第２の態様において、前記断熱部材の間の前記断熱基板の部分に、前記断熱基板を折り曲げ可能とするスリットを設けることにより、床暖房用断熱パネルの運搬を容易にすることができる。特に前記断熱部材が前記真空部材である場合は、該真空部材が設けられていない部分にスリットが設けられるため、前記断熱基板が折り曲げられたときに、摩擦や干渉により該真空部材が破損することを防止することができる。
【００１５】
また、前記第１の態様及び前記第２の態様において、前記温水配管は平行して配設された複数の配管部分を有し、該配管部分の下方の該配管部分と対向する部分に設けられた前記断熱部材の幅を、該配管部分の内径以上であって、且つ隣り合った該配管部分の中心間の距離の１／２以下の範囲内で設定したことを特徴とする。
【００１６】
かかる本発明によれば、前記断熱部材の幅の拡大による前記温水配管の下方への断熱効果と、前記断熱部材の幅の縮小による床暖房用断熱パネルのコストダウン効果をバランスさせて、前記断熱部材の幅を適切に設定することができる。
【００１７】
【発明の実施の形態】
本発明の実施の形態について、図１〜図３を参照して説明する。図１は第１の実施の形態における床暖房用断熱パネルの構成図、図２は図１に示した真空断熱部材の幅設定の説明図、図３は第２及び第３の実施の形態における床暖房用断熱パネルの構成図である。
【００１８】
先ず、図１（ａ）及び図１（ｂ）を参照して、本発明の第１の実施の形態について説明する。図１（ａ）は床暖房用断熱パネル１の上表面に貼着された放熱板を剥がした状態を示しており、発泡ポリスチレン等の断熱材料で作られた断熱基板２の上面に形成された配管溝に、温水配管３が配設されている。そして、温水配管３の入口ヘッダー４は給湯往き管（図示しない）と接続され、また、温水配管３の出口ヘッダー５は給湯戻り管（図示しない）と接続されて、熱源機（図示しない）から該給湯往き管を介して温水が供給されると共に、温水配管内を流通して放熱した温水が該給湯戻り管を介して熱源機に回収される。
【００１９】
図１（ｂ）は図１（ａ）に示した床暖房用断熱パネル１の横断面図であり、断熱基板２の上表面に形成された配管溝１０（１０ａ，１０ｂ，１０ｃ）に温水配管３が配設されて、放熱板２０が貼着されている。また、温水配管３の配管部分３ａ，３ｂ，３ｃは、互いに平行に間隔を空けて配設されている。
【００２０】
図１（ｂ）に示したように、断熱基板２の上表面に配管溝１０を形成した場合、配管溝１０の下側の断熱基板２の厚さが薄くなり、床下側への断熱効果が減少する。そこで、断熱基板２の温水配管３の下方の該温水配管３と対向する部分に、断熱基板２よりも熱伝導率が低く断熱効果が大きい真空断熱部材１２（１２ａ，１２ｂ，１２ｃ、本発明の断熱部材に相当する）が埋設されている。
【００２１】
そして、このように温水配管３の下方に真空断熱部材１２を埋設することによって、断熱基板２のみを用いて所定レベルの断熱効果を得る場合に比べて、床暖房用断熱パネル１の厚さを薄くして該所定レベルの断熱効果を得ることができる。
【００２２】
また、コストが断熱基板２よりも高い真空断熱部材１２を、温水配管３からの放熱が大きい温水配管３の下方の温水配管３と対向する部分のみに限定して設けることにより、真空断熱部材１２を断熱基板２の下面全体に設ける場合に比べて、床暖房用断熱パネル１のコストを抑えて効率良く床下側への断熱効果を得ることができる。さらに、真空断熱部材１２が設けられた部分以外の断熱基板２の箇所にビス止め等を行って、容易に床暖房用断熱パネル１を床面に固定することができる。
【００２３】
また、図２は、図１に示した床暖房用断熱パネル１における真空断熱部材１２の幅（Ｗ）を決定する方法の１例を示したものであり、図中、Ｌは断熱基板２の厚さ、Ｓは温水配管３の配管部分３ｂ，３ｃの中心間の距離（配設ピッチ）、ｄ１は配管部分３ｂ，３ｃの外径、ｄ２は配管部分３ｂ，３ｃの内径である。
【００２４】
図２において、配管部分３ｂ，３ｃの下方への放熱が多いのは配管部分３ｂ，３ｃの内径（ｄ２）の内側部分（図中Ｘの部分）である。したがって、配管部分３ｂ，３ｃの下方側の断熱効果を確保するためには、真空断熱部材１２の幅（Ｗ）を配管部分３ｂ，３ｃの内径（ｄ２）以上とすることが望ましい。
【００２５】
一方、真空断熱部材１２のコストを考えると、真空断熱部材１２の幅（Ｗ）が狭いほうが望ましい。また、真空断熱部材１２の幅（Ｗ）が狭ければ、それだけ真空断熱部材１２が設けられておらずビス打ち等が可能な断熱基板２の部分が増えるため、床暖房用断熱パネル１の設置施工性が向上する。そこで、断熱効果、コストの抑制、及び施工性の向上という各要素のバランスを考慮して、配管部分３ｂ，３ｃの内径（ｄ２）以上で、且つ配管部分３ｂ，３ｃの配設ピッチ（Ｓ）の１／２以下の範囲で真空断熱部材１２の幅（Ｗ）を決定することが望ましい。
【００２６】
また、真空断熱部材１２の幅（Ｗ）の他の決定方法として、断熱基板２の厚さ（Ｌ）と温水配管３の外径（ｄ１）との関係に基づいて、以下の式（１）により真空断熱部材１２の幅を決定してもよい。
【００２７】
Ｗ　＝　α　×　ｄ１／（Ｌ−ｄ１）　・・・・・（１）
但し、α：断熱基板２の熱伝導率に基づいて実験等により定められた係数。
【００２８】
また、図１（ｂ）を参照して、断熱基板２にスリット２５を設けて断熱基板２を折り曲げ可能とすることにより、床暖房用断熱パネル１の運搬を容易にすることができる。
【００２９】
次に、図３を参照して、本発明の第２、第３の実施の形態について説明する。なお、図１（ｂ）に示した床暖房用断熱パネル１と同様の構成については、同一の符号を付して説明を省略する。
【００３０】
図３（ａ）を参照して、本発明の第２の実施の形態の床暖房用断熱パネル３０においては、温水配管３の外面に当接する部分に真空断熱部材３１（３１ａ，３１ｂ，３１ｃ）が埋設されている。
【００３１】
この場合、温水配管３が真空断熱部材３１に密接して配設されるため、温水配管３からの下方及び側方への放熱を断熱する効果を高めることができる。
【００３２】
また、図３（ｂ）を参照して、本発明の第３の実施の形態の床暖房用断熱パネル４０においては、図３（ａ）に示した床暖房用断熱パネル３０と同様に、温水配管３の外面に当接する部分に真空断熱部材４１（４１ａ，４１ｂ，４１ｃ）が埋設されている。
【００３３】
そして、真空断熱部材４１と温水配管３の間から放熱板２０と断熱基板２の上表面の間に亘って、熱伝導率が真空断熱部材４１よりも高い熱伝導シート４２が設けられている。この場合、温水配管３から放熱されて真空断熱部材４１により下方及び側方への伝播が妨げられた熱を、熱伝導シート４２を経由して放熱板２０に効率良く拡散させることができる。
【００３４】
なお、図３（ｂ）に示したように、真空断熱部材４１を配管溝１０から断熱基板２の上表面まで延設することにより、温水配管３からの放熱を床暖房用断熱パネル４０の上表面に拡散させる効果を一層高めることができる。
【００３５】
また、本実施の形態では、本発明の断熱部材として真空断熱部材を用いたが、断熱基板２よりも熱伝導率が低い断熱部材であれば、他の種類の断熱部材を用いた場合であっても本発明の効果を得ることができる。
【図面の簡単な説明】
【図１】第１の実施の形態における床暖房用断熱パネルの構成図。
【図２】真空断熱部材の幅設定の説明図。
【図３】第２及び第３の実施の形態における床暖房用断熱パネルの構成図。
【符号の説明】
１…床暖房用断熱パネル、２…断熱基板、３…温水配管、１０…配管溝、１２…真空断熱部材、３０…床暖房用断熱パネル、３１…真空断熱部材、４０…床暖房用断熱パネル
【図１】
2004144340.tif 000003
【図２】
2004144340.tif 000004
【図３】
2004144340.tif 000005